(57)【要約】【課題】低音の響きが向上するドラムヘッド及びそのドラムヘッドを備えたドラムを提供することにある。【解決手段】バスドラム１０は、円筒形のシェル１１と、シェル１１の開口端に装着される一対のドラムヘッドとを備えている。両ドラムヘッドのうち、叩打される打面ヘッド１２ａと反対側に位置する裏面ヘッド１２ｂには４つの孔２０が設けられている。各孔２０は、裏面ヘッド１２ｂの振動時における節に対応する２本の節線と１つの節円とが交差する位置に設けられている。【選択図】図１
0003137025.tif 000002
【実用新案登録請求の範囲】
【請求項１】
円筒形のシェルの開口端に装着され、演奏者により叩打される打面と反対側に位置するドラムヘッドであって、
前記ドラムヘッドには、前記ドラムヘッドの振動時における節に対応して複数の孔が設けられていることを特徴とするドラムヘッド。
【請求項２】
請求項１記載のドラムヘッドにおいて、
前記各孔は、前記ドラムヘッドの中心を通る少なくとも１本の節線と、前記ドラムヘッドの中心を中心とする少なくとも１つの節円とが交差する位置に設けられていることを特徴とするドラムヘッド。
【請求項３】
請求項２記載のドラムヘッドにおいて、
前記ドラムヘッドには、４つの丸い孔が設けられ、前記各孔は、前記ドラムヘッドの中心にて直角に交差する２本の前記節線と１つの前記節円とが交差する位置に設けられていることを特徴とするドラムヘッド。
【請求項４】
請求項１〜３のうちのいずれか一項に記載のドラムヘッドにおいて、
前記ドラムヘッドは、バスドラムに適用されることを特徴とするドラムヘッド。
【請求項５】
円筒形のシェルと、そのシェルの両開口端に装着される一対のドラムヘッドとを備えたドラムであって、
演奏者により叩打される打面と反対側に位置するドラムヘッドには、前記ドラムヘッドの振動時における節に対応して複数の孔が設けられていることを特徴とするドラム。
【請求項６】
請求項５記載のドラムにおいて、
前記各孔は、前記ドラムヘッドの中心を通る少なくとも１本の節線と、前記ドラムヘッドの中心を中心とする少なくとも１つの節円とが交差する位置に設けられていることを特徴とするドラム。
【考案の詳細な説明】
【技術分野】
【０００１】
本考案は、ドラムヘッド及びそのドラムヘッドを備えたドラムに関する。
【背景技術】
【０００２】
一般に、ドラムは、円筒形のシェルと、そのシェルの両開口端に装着された一対のドラムヘッドとを備えている。ドラムの演奏時には、ドラムヘッド（打面ヘッド）が叩打されることで振動し、その振動によりシェル内の空気が共鳴して、振動音が増幅される。
【０００３】
特に、バスドラムの場合、演奏者は、ペダルの踏み込みにより、ビータで打面ヘッドを叩打する。打面ヘッドが叩打されると、シェル内で圧縮された空気により、打面ヘッドと反対側の裏面ヘッドが膨らみ、その反動により、打面ヘッドが演奏者に向けて押し返される。このため、演奏方法によっては、二度打ちし易くなり、音を短く切ることができないという問題が生じる。この問題を解消するため、打面ヘッドが叩打されたときにシェル内の空気を外へ放出するための孔をバスドラムの裏面ヘッドに設けることは知られている。
【考案の開示】
【考案が解決しようとする課題】
【０００４】
最近、軽量で、持ち運びが容易であるとの理由から、通常の大型のバスドラム（例えば、４５７．２ｍｍ（１８インチ）以上）よりも口径の小さい小型のバスドラム（例えば、３５５．６ｍｍ（１４インチ））が使用されている。このような小型のバスドラムの場合、通常のバスドラムと比べて低音が響かないという問題がある。
【０００５】
本考案は、このような問題に鑑みてなされたものであり、その目的は、低音の響きが向上するドラムヘッド及びそのドラムヘッドを備えたドラムを提供することにある。
【課題を解決するための手段】
【０００６】
上記課題を解決するため、請求項１に記載の考案は、円筒形のシェルの開口端に装着され、演奏者により叩打される打面と反対側に位置するドラムヘッドであって、ドラムヘッドには、ドラムヘッドの振動時における節に対応して複数の孔が設けられていることをその要旨とする。
【０００７】
この構成によれば、ドラムの低音の響きが向上する。なお、ここで、振動の節とは、ドラムヘッドの叩打後において振動が生じない静止部分をいう。
請求項２に記載の考案は、請求項１記載の考案において、各孔は、ドラムヘッドの中心を通る少なくとも１本の節線と、ドラムヘッドの中心を中心とする少なくとも１つの節円とが交差する位置に設けられていることをその要旨とする。
【０００８】
同構成によれば、ドラムの低音の響きが向上する。なお、ここで、節線とは、ドラムヘッドの中心を通り、径方向に沿って延びる直線からなる振動の節であり、節円とは、ドラムヘッドの中心を中心とする円からなる振動の節である。
【０００９】
請求項３に記載の考案は、請求項２記載の考案において、ドラムヘッドには、４つの丸い孔が設けられ、各孔は、ドラムヘッドの中心にて直角に交差する２本の節線と１つの節円とが交差する位置に設けられていることをその要旨とする。
【００１０】
この構成によれば、ドラムヘッドが振動したときの節に対応して４つの丸い孔を設けることによって、ドラムの低音の響きがより一層向上する。
請求項４に記載の考案は、請求項１〜３のうちいずれか一項に記載の考案において、前記ドラムヘッドは、バスドラムに適用されることをその要旨とする。
【００１１】
この構成によれば、特に低音の響きが求められるバスドラムに最適なドラムヘッドを提供することができる。また、通常のバスドラムよりも口径の小さい小型のバスドラムであっても、このドラムヘッドを採用することにより、通常のバスドラムに近い低音の響きを得ることができる。
【００１２】
請求項５に記載の考案は、円筒形のシェルと、そのシェルの両開口端に装着される一対のドラムヘッドとを備えたドラムであって、演奏者により叩打される打面と反対側に位置するドラムヘッドには、ドラムヘッドの振動時における節に対応して複数の孔が設けられていることをその要旨とする。
【００１３】
この構成によれば、ドラムの低音の響きが向上する。
請求項６に記載の考案は、請求項５記載の考案において、各孔は、ドラムヘッドの中心を通る少なくとも１本の節線と、ドラムヘッドの中心を中心とする少なくとも１つの節円とが交差する位置に設けられていることをその要旨とする。
【００１４】
この構成によれば、ドラムの低音の響きが向上する。
【考案の効果】
【００１５】
本考案によれば、低音の響きが向上するドラムヘッド及びそのドラムヘッドを備えたドラムを提供することができる。
【考案を実施するための最良の形態】
【００１６】
以下、本考案のドラムヘッドを、通常のバスドラムよりも口径の小さい小型のバスドラム１０に適用した一実施形態について、図１及び図２（ａ）を参照して説明する。通常のバスドラムの口径は、４５７．２ｍｍ（１８インチ）〜６６０．４ｍｍ（２６インチ）の範囲であるが、本実施形態における小型のバスドラムの口径は、３５５．６ｍｍ（１４インチ）〜４０６．４ｍｍ（１６インチ）の範囲である。
【００１７】
図１に示すように、バスドラム１０は、円筒形のシェル１１と、シェル１１の両開口端を塞ぐ一対のドラムヘッド１２ａ、１２ｂとを備えている。両ドラムヘッド１２ａ、１２ｂのうち、演奏者により叩打される打面を含むドラムヘッドが打面ヘッド１２ａであり、打面ヘッド１２ａと反対側に位置するドラムヘッドが裏面ヘッド１２ｂである。打面ヘッド１２ａが叩打されると、打面ヘッド１２ａ及び裏面ヘッド１２ｂが共に振動し、その振動によりシェル１１内の空気が共鳴して、振動音が増幅される。
【００１８】
シェル１１の両開口端には、環状のフープ１４がそれぞれ設けられている。各ドラムヘッド１２ａ、１２ｂは、フープ１４を介して、シェル１１の各開口端に支持されている。シェル１１の外周面には、各フープ１４を固定するための複数のラグ１６と、複数のラグボルト１８とがそれぞれ設けられている。各ラグ１６の孔に挿入された各ラグボルト１８を締め付けたり、緩めたりすることにより、各ドラムヘッド１２ａ、１２ｂの張力が変更されて、バスドラム１０の音調が調節される。
【００１９】
本実施形態において、裏面ヘッド１２ｂには、４つの丸い孔２０が設けられている。図２（ａ）に示すように、各孔２０は、裏面ヘッド１２ｂが振動したときに静止した状態にある節に対応する２本の節線Ｌ１，Ｌ２と、１つの節円Ｓ１とが交差する位置に設けられている。各節線Ｌ１，Ｌ２は、裏面ヘッド１２ｂの中心にて直角に交差し、かつ径方向に沿って延びる直線である。節円Ｓ１は、裏面ヘッド１２ｂと同心の円であり、即ち、裏面ヘッド１２ｂの中心Ｏを中心とし、かつ裏面ヘッド１２ｂの直径をＲとしたときに０．４３６Ｒの直径を有する円である。各孔２０は、節円Ｓ１の円周上に等角度間隔、即ち９０度間隔を置いてそれぞれ配置されている。また、各孔２０の直径は、シェル１１の口径に対し１０ｍｍ〜３０ｍｍの範囲に設定されている。なお、各孔２０は、打面ヘッド１２ａの叩打時にシェル１１内から空気を放出する機能もあり、各孔２０の直径は、シェル１１の口径、深さ、容積などに応じて決められる。
【００２０】
上記実施形態のドラムヘッドによれば、以下のような効果を得ることができる。
（１）裏面ヘッド１２ｂには、４つの丸い孔２０が設けられている。各孔２０は、２本の節線Ｌ１，Ｌ２と、１つの節円Ｓ１とが交差する位置に設けられている。このように、裏面ヘッド１２ｂの振動時における節に対応して４つの孔２０を設けることによって、バスドラム１０の低音の響きがより一層向上する。また、通常のバスドラムよりも口径の小さい小型のバスドラムであっても、上記のような裏面ヘッド１２ｂを採用することにより、通常の大型のバスドラムに近い低音の響きを得ることができる。
【００２１】
（２）各孔２０の直径は、シェル１１の口径に対し１０ｍｍ〜３０ｍｍの範囲に設定されている。このように、シェル１１の口径、深さ、容積に対し適切な大きさを有する複数の孔２０を裏面ヘッド１２ｂの所定の位置に設けることによって、バスドラム１０の低音の響きが更に向上する。
【実施例】
【００２２】
以下、本実施形態のドラムヘッドの効果を確認するために行った評価試験について具体的に説明する。
（実施例）
本実施形態の打面ヘッド及び裏面ヘッドを作製し、口径が３５５．６ｍｍ（１４インチ）のシェルの一方の開口端に打面ヘッドを、他方の開口端に裏面ヘッドをそれぞれ装着して、評価用バスドラムを作製した。その際、直径が１５ｍｍの４つの丸い孔を、２本の節線と１つの節円とが交差する位置（図２（ａ）参照）、具体的には、裏面ヘッドの中心から約７７．５ｍｍだけ離間した円周上に９０度間隔を置いて形成した。
（比較例１）
比較例１では、孔の無い裏面ヘッドを用いた。その他は、実施例１と同じ方法を用いて、評価用バスドラムを作製した。
（比較例２）
比較例２では、直径が１２７ｍｍ（５インチ）の丸い孔を１つだけ有する裏面ヘッドを用いた。その他は、実施例１と同じ方法を用いて、評価用バスドラムを作製した。なお、比較例２における丸い孔の直径は、口径が４５７．２ｍｍ（１８インチ）の通常のバスドラムで採用される丸い孔の直径と同じである。
【００２３】
（評価試験）
こうして得られた各評価用バスドラムを４人の演奏者がそれぞれ演奏して、評価用ドラムの性能を官能的に評価した。
【００２４】
（評価結果）
上記評価試験において、実施例の場合、４人のうち全員から低音の響きが良いとの結果が得られたのに対し、比較例１、２の場合、４人の全員から低音の響きが良くないとの結果が得られた。これは、実施例の場合、打面ヘッドが叩打されたときに、裏面ヘッドに設けられた４つの孔を通る節線と節円とを節として振動する図２（ａ）のような低い周波数（低音域）の振動が励起され易くなる一方で、各孔の位置を節線と節円としない高い周波数（高音域）の振動が励起されにくくなる。その結果、高音よりも低音が強調されて聞こえるため、低音の響きが良いとの結果が得られたものと推察される。一方、比較例１の場合、裏面ヘッドに孔が設けられていないため、高音域の振動が抑制されない結果、低音があまり響かないものと推察される。また、比較例２の場合、高音域の振動のみならず、低音域の振動も抑制されたものと推察される。本評価試験の結果から、本実施形態のドラムヘッドを採用することにより、バスドラムの低音が十分に響くことが確認された。
【００２５】
なお、上記実施形態は以下のように変更してもよい。
・本実施形態において、図２（ｂ）〜（ｆ）にそれぞれ示すように、裏面ヘッド１２ｂに設けられる孔２０の位置や数を変更してもよい。図２（ｂ）、（ｃ）の場合、節線Ｌ１は、裏面ヘッド１２ｂの中心を通り、かつ径方向に沿って延びる１本の直線である。又、図２（ｄ）の場合、各節線Ｌ１，Ｌ２は、裏面ヘッド１２ｂの中心にて直角に交差し、かつ径方向に沿って延びる直線である。図２（ｅ）、（ｆ）の場合、各節線Ｌ１，Ｌ２，Ｌ３は、裏面ヘッド１２ｂの中心にて６０度で交差し、かつ径方向に沿って延びる直線である。図２（ｂ）〜（ｆ）の場合、各節円Ｓ１，Ｓ２，Ｓ３は、いずれも裏面ヘッド１２ｂと同心の円である。
【００２６】
・本実施形態において、孔２０は、丸以外の形状であってもよく、例えば、三角や四角等の任意の形状に変更してもよい。
・本考案のドラムヘッドを、バスドラム以外のドラムに適用してもよい。また、本考案のドラムは、バスドラム以外のドラムであってもよい。
【図面の簡単な説明】
【００２７】
【図１】本実施形態のドラムヘッドを備えたバスドラムを斜め上方から見た図。
【図２】（ａ）は、本実施形態の孔の位置を説明するための模式図、（ｂ）〜（ｆ）は別例の孔の位置を説明するための模式図。
【符号の説明】
【００２８】
１０…バスドラム（ドラム）、１１…シェル、１２ａ…打面ヘッド（ドラムヘッド）、１２ｂ…裏面ヘッド（ドラムヘッド）、２０…孔、Ｌ１，Ｌ２，Ｌ３…節線、Ｓ１，Ｓ２…節円。
【図１】
0003137025.tif 000003
【図２】
0003137025.tif 000004